(57)【要約】【課題】本願発明の課題は、従来技術が抱える問題を解決することであり、すなわち、ネット式斜面保護工が施された斜面を容易に登って避難できる技術を提供することであり、より具体的には、ネット式斜面保護工を利用することで比較的手間とコストをかけずに設置できる斜面用避難階段と、これを用いた避難路を設置する方法を提供することである。【解決手段】本願発明の斜面用避難階段は、支持材と斜材と踏板を備え、ネット式斜面保護工が施された斜面に設置するものである。斜面用避難階段を構成する支持材は、水平（又は略水平）に配置され、その一端には係止部を具備し、他端では斜材と連結される。支持材の係止部は、ネット式斜面保護工を構成するロープ材に係止することができる。【選択図】図３
2015042835.tif 000002
【特許請求の範囲】
【請求項１】
ネット式斜面保護工が施された斜面に設置する避難階段であって、
支持材と、斜材と、踏板と、を備え、
水平又は略水平に配置される前記支持材は、一端に係止部を具備するとともに、他端では前記斜材と連結され、
前記斜材は、一端にアンカー部を具備し、
前記踏板は、水平又は略水平に配置された前記支持材の上に載置されて踏み面を形成し、
前記支持材の前記係止部は、前記ネット式斜面保護工を構成するロープ材に係止可能であり、
前記斜材のアンカー部は、斜面に挿入することで地盤からの支持を得るものであり、
多段に設置することで、斜面上に避難路を構築し得ることを特徴とする斜面用避難階段。
【請求項２】
ネット式斜面保護工が施された斜面に設置する避難階段であって、
支持材と、斜材と、充填材と、を備え、
斜面に沿って配置される前記支持材は、一端に係止部を具備するとともに、他端では前記斜材と連結され、
前記斜材は板状であり、該斜材と斜面との間には充填空間が形成され、
前記充填材は、前記充填空間に充填されて踏み面を形成し、
前記支持材の前記係止部は、前記ネット式斜面保護工を構成するロープ材に係止可能であり、
多段に設置することで、斜面上に避難路を構築し得ることを特徴とする斜面用避難階段。
【請求項３】
ネット式斜面保護工が施された斜面に設置する避難階段であって、
支持材と、脚材と、踏板と、を備え、
斜面に沿って配置される前記支持材は、一端に係止部を具備するとともに、他端では前記脚材と連結され、
斜面上方に立設される前記脚材は、上下方向に軸長の調整が可能であり、
略水平に配置された前記踏板は、前記支持材及び前記脚材に取り付けられて踏み面を形成し、
前記支持材の前記係止部は、前記ネット式斜面保護工を構成するロープ材に係止可能であり、
多段に設置することで、斜面上に避難路を構築し得ることを特徴とする斜面用避難階段。
【請求項４】
ネット式斜面保護工が施された斜面に設置する避難階段であって、
脚材と、踏板と、係止手段と、を備え、
斜面上方に立設される前記脚材は、上下方向に軸長の調整が可能であり、
略水平に配置された前記踏板は、前記脚材に取り付けられて踏み面を形成し、
前記係止手段は、前記脚材の下端と前記踏板の斜面側端部それぞれに取り付けられるとともに、前記ネット式斜面保護工を構成するロープ材に係止可能であり、
多段に設置することで、斜面上に避難路を構築し得ることを特徴とする斜面用避難階段。
【請求項５】
前記係止部は、係止板とＵ字形係止具を含み、
前記Ｕ字形係止具内にロープ材を挿通し、該Ｕ字形係止具を前記係止板に締め付け固定することで、前記係止部はロープ材に係止可能であることを特徴とする請求項１乃至請求項４のいずれかに記載の斜面用避難階段。
【請求項６】
さらに脱着式の支柱を備え、
前記支柱に設けられた手すり支持部に手すり材を設置することによって、避難階段用の手すりを構築し得ることを特徴とする請求項１乃至請求項５のいずれかに記載の斜面用避難階段。
【請求項７】
ネット式斜面保護工が施された斜面に避難路を設置する方法であって、
斜材が連結された支持材を水平又は略水平となるように配置するとともに、該支持材の一端に具備される係止部を、前記ネット式斜面保護工を構成するロープ材に係止する支持材設置工程と、
前記斜材の一端に具備されるアンカー部を、斜面に挿入することで地盤からの支持を得る地盤支持工程と、
配置された前記支持材の上に、前記踏板を載置して踏み面を形成する踏み面形成工程と、を備え、
前記支持材、前記斜材、及び前記踏板を含んで構成される避難階段を、多段に設置することで斜面上に避難路を構築することを特徴とする斜面避難路設置方法。
【請求項８】
ネット式斜面保護工が施された斜面に避難路を設置する方法であって、
斜材が連結された支持材を斜面に沿うように配置するとともに、該支持材の一端に具備される係止部を、前記ネット式斜面保護工を構成するロープ材に係止する支持材設置工程と、
板状の前記斜材と斜面との間に形成される充填空間に、充填材を充填して踏み面を形成する踏み面形成工程と、を備え、
前記支持材、前記斜材、及び前記充填材を含んで構成される避難階段を、多段に設置することで斜面上に避難路を構築することを特徴とする斜面避難路設置方法。
【請求項９】
ネット式斜面保護工が施された斜面に避難路を設置する方法であって、
斜面に沿って支持材を配置し、該支持材に脚材を回転可能に固定するとともに、該脚材を斜面上方に立ち上げ、さらに前記支持材の一端に具備される係止部を、前記ネット式斜面保護工を構成するロープ材に係止する支持材設置工程と、
略水平に配置された踏板を、前記支持材及び前記脚材に取り付けて踏み面を形成する踏み面形成工程と、
前記脚材を伸縮させることによって上下方向の長さを調整し、且つ前記踏板の水平姿勢を調整する高さ調整工程と、を備え、
前記支持材、前記脚材、及び前記踏板を含んで構成される避難階段を、多段に設置することで斜面上に避難路を構築することを特徴とする斜面避難路設置方法。
【請求項１０】
ネット式斜面保護工が施された斜面に避難路を設置する方法であって、
斜面上方に立ち上げた脚材の下端に取り付けられた係止手段を、前記ネット式斜面保護工を構成するロープ材に係止する脚材設置工程と、
略水平に配置された踏板を前記脚材に取り付けるとともに、該踏板の斜面側端部に取り付けられた係止手段をロープ材に係止することで踏み面を形成する踏み面形成工程と、
前記脚材を伸縮させることによって上下方向の長さを調整し、且つ前記踏板の水平姿勢を調整する高さ調整工程と、を備え、
前記脚材、及び前記踏板を含んで構成される避難階段を、多段に設置することで斜面上に避難路を構築することを特徴とする斜面避難路設置方法。
【請求項１１】
脱着式の支柱を取り付けるとともに、該支柱に設けられた手すり支持部に手すり材を設置する手すり設置工程を、さらに備えたことを特徴とする請求項７乃至請求項１０のいずれかに記載の斜面避難路設置方法。
【発明の詳細な説明】
【技術分野】
【０００１】
本願発明は、自然斜面やのり面（以下、まとめて「斜面」という。）に避難路を設置する技術に関するものであり、より具体的には、斜面に施された斜面保護工を利用して容易に取り付けられる斜面用避難階段と、これを用いた避難路の設置方法に関するものである。
【背景技術】
【０００２】
我が国は地震が頻発する国として知られ、近年では、東北地方太平洋沖地震をはじめ、兵庫県南部地震、新潟県中越地震など大きな地震が発生し、そのたびに甚大な被害を被ってきた。特に東日本大震災では、津波によって計り知れない被害を受け、改めて津波の脅威を認識させられたところである。近い将来、東海地震や、東南海・南海地震、日本海溝・千島海溝周辺海溝型地震といったいわゆる海溝型地震が、しかもマグニチュード８規模で発生すると予想されている。このことは、東日本大震災と同じ規模の津波を想定しなければならないことを意味しており、その震災による被害を考えれば、津波対策はいわば我が国の防災上の喫緊の課題といえる。平成２５年５月２０日には、大規模災害の未然防止や発生時の被害拡大の防止などを目的とした、国土強靱化基本法案が提出された。
【０００３】
津波対策としては、海岸堤防や防潮堤などのハード対策と、迅速に避難するための防災計画といったソフト対策が挙げられる。このうちハード対策は、到達するであろう津波高さを正確に予測することが難しいことから、海岸堤防等のみで津波から守ることには限界がある。一方のソフト対策は、円滑に避難することで生命を守ることを主な目的としており、堅実かつ有効な対策である。
【０００４】
津波対策として避難計画を策定する場合、速やかに高台へ移動することが基本となる。先の東日本大震災では、例えば岩手県宮古市で最大波８ｍを越える津波が観測され、４０．５ｍの遡上高を記録した。また、明治三陸地震で発生した津波では、３８．２ｍの遡上高が記録されている。そして、宮古市の最大波は、地震発生からおよそ３５分で到達している。すなわち、大規模地震による津波から身を守るためには、数十分という短い時間で相当な高さまで移動しなければならないことになる。
【０００５】
ところが、近隣に避難できる高台があるところはそれほど多くない。特に、今後発生が想定される東海地震や東南海・南海地震の被害を受ける太平洋沿岸では、背後に急峻な山が迫っている場所が多く、その場合、現状では適当な避難場所を見付けるのは難しい。斜面を登って高い場所に避難することも考えられるが、老人や子供にとっては極めて厳しい行動であり、そもそも、切土によって整形された人工斜面（のり面）であれば登っていくことも可能であるが、崖のような自然斜面では到底登っていくことはできない。
【０００６】
さりとて現実には背後に山が迫っており、短時間で高い場所に移動するためには斜面を登ることが極めて有効な手段となる。そこで、急な斜面でも容易に登ることができる設備を設置することが考えられる。これまでも、のり面を昇降するための階段設備などが種々提案されてきた。特許文献１では、のり面の勾配や起伏の程度にかかわらず容易に設置できる仮設用の階段を提案している。
【先行技術文献】
【特許文献】
【０００７】
【特許文献１】特開第２００４−０６０２４６号公報
【発明の概要】
【発明が解決しようとする課題】
【０００８】
特許文献１の「法面用階段」は、一連に続く階段が長くならないよう途中に踊り場を設けたものである。そのため、外寸も重量も相当な大きさとなり、製造にコストがかかるうえ、設置に要するコストも嵩むこととなる。さらに、ある程度の勾配や起伏には対応できるとしても、あくまで人工的に整形されたのり面が対象であり、起伏が激しく草本類などの植生がある自然斜面には適用できない。
【０００９】
特許文献１の「法面用階段」をはじめ従来の提案では、そのほとんどがのり面に設置することを前提としていた。これは、建築基準法に規定される基準が大きく影響していると考えられる。建築基準法施行令（第２３条）では、安全に昇降するために蹴上げや踏み面の寸法を規定しており、例えば屋外に設けられる階段の場合、蹴上げは２２ｃｍ以下、踏み面は２１ｃｍ以上にしなければならない。このような基準を順守すると、著しく起伏の激しい自然斜面で階段を設置することは考えにくい。
【００１０】
もちろん、平常時であれば安全な階段を設置すべきであるが、津波から避難する緊急時においては、やや昇降し難くても昇降設備が存在することが極めて重要となる。従来では、常設の昇降階段として、あるいは工事のための仮設用として、斜面用の階段が提案されてきただけであり、避難路用という着想がなかったため建築基準法に準拠しない階段、つまり自然斜面に設置する階段に関して提案されることがなかったわけである。
【００１１】
ところで、太平洋沿岸は背後に急峻な山が迫っているところが多いことは、先にも述べた。このような場所では、海岸と山の間に道路が設けられているところが良くみられる。急峻な山の一部を切り取って、あるいは自然地形を利用して道路を形成しているわけである。山沿いの道路は、急な斜面に面していることが多く、そのため落石や斜面崩壊から道路を守るべく斜面保護工が施されている。そのほか、集落の付近にある急斜面で斜面保護工が施されているケースも多い。
【００１２】
斜面保護工としては、プレキャスト枠工や、現場吹付のり枠工、現場打コンクリート枠工といった、コンクリート製ののり枠によって斜面を抑える手法が数多く採用されている。土砂崩壊が懸念されるところでは、のり枠とともにアンカー（グラウンドアンカーやロックボルト）を設置することもある。しかしながらコンクリート製ののり枠を設置すると、現状の植生を除去しなければならい。また、工事も相当な規模となり、施工費も嵩む。そこで、昨今ではワイヤーロープをネット状に組んだネット式斜面保護工が多用されるようになってきた。
【００１３】
図８は、ネット式斜面保護工を設置した状態を示す説明図で、（ａ）は側面図、（ｂ）は正面図である。この図に示すようにネット式斜面保護工Ｎｅは、ロープを縦横に編んだものであり、略水平に配置される水平ロープＲｈと、略鉛直に配置される鉛直ロープＲｖを主な部材とする。また、水平ロープＲｈと鉛直ロープＲｖが交差する点には支圧板Ｐｔが設けられることがあり、さらにその交点に鉄筋挿入工が施されることもある。
【００１４】
ネット式斜面保護工は比較的容易に設置できるため、これまで主流であったコンクリート製ののり枠に比べ、材料費・施工費ともにコストを抑えることができる。また、ワイヤーロープ等が主部材であることから、あらゆる斜面勾配に柔軟に対応でき、急峻な自然斜面でも難なく採用することができる。加えて、現状の植生を除去する必要がほとんどないため、自然保護や環境維持といった面からも好んで採用される。ネット式斜面保護工としては、ＥＳネット（登録商標）やロープネット、ユニットネットが知られており、近年多用された結果、多くの斜面でネット式斜面保護工が設置されることとなった。
【００１５】
このように、ネット式斜面保護工が施された斜面が多いことに鑑みると、ネット式斜面保護工を利用した斜面用の避難設備の設置は、極めて有効かつ実用的である。本願発明の課題は、従来技術が抱える問題を解決することであり、すなわち、ネット式斜面保護工が施された斜面を容易に登って避難できる技術を提供することであり、より具体的には、ネット式斜面保護工を利用することで比較的手間とコストをかけずに設置できる斜面用避難階段と、これを用いた避難路を設置する方法を提供することである。
【課題を解決するための手段】
【００１６】
本願発明は、斜面を避難路に利用するという点に着眼し、しかもネット式斜面保護工を利用することで設置が極めて容易になることに着眼したものであり、これまでになかった発想に基づいて行われた発明である。
【００１７】
本願発明の斜面用避難階段は、支持材と斜材と踏板を備え、ネット式斜面保護工が施された斜面に設置するものである。斜面用避難階段を構成する支持材は、水平（又は略水平）に配置され、その一端には係止部を具備し、他端では斜材と連結される。支持材の係止部は、ネット式斜面保護工を構成するロープ材に係止することができる。斜材は、その一端にアンカー部を具備しており、このアンカー部を斜面に挿入することで地盤からの支持を得ることができる。踏板は、水平（又は略水平）に配置された支持材の上に載置されることで踏み面を形成する。本願発明の斜面用避難階段を多段に設置することで、斜面上に避難路を構築することができる。
【００１８】
本願発明の斜面用避難階段は、支持材と斜材と充填材を備えたものとすることもできる。斜面用避難階段を構成する支持材は、斜面に沿って配置され、その一端には係止部を具備し、他端では斜材と連結される。支持材の係止部は、ネット式斜面保護工を構成するロープ材に係止することができる。斜材は板状であり、この斜材と斜面との間には充填空間が形成される。そして、この充填空間には充填材が充填され、充填材によって踏み面が形成される。
【００１９】
本願発明の斜面用避難階段は、支持材と脚材と踏板を備え、ネット式斜面保護工が施された斜面に設置するものである。斜面用避難階段を構成する支持材は、斜面に沿って配置され、その一端には係止部を具備し、他端では脚材と回転可能に連結される。支持材の係止部は、ネット式斜面保護工を構成するロープ材に係止することができる。略水平に配置された踏板は、支持材及び脚材に取り付けられて踏み面を形成する。斜面上方に立設される脚材は、上下方向に軸長の調整が可能であり、これにより踏み面の水平姿勢も調整することができる。本願発明の斜面用避難階段を多段に設置することで、斜面上に避難路を構築することができる。
【００２０】
本願発明の斜面用避難階段は、脚材と踏板と係止手段を備え、ネット式斜面保護工が施された斜面に設置するものである。斜面用避難階段を構成する脚材は、斜面上方に立設され、略水平に配置された踏板は、脚材に取り付けられて踏み面を形成する。係止手段は、脚材の下端と踏板の斜面側端部それぞれに取り付けられ、ネット式斜面保護工を構成するロープ材に係止可能である。脚材は、上下方向に軸長の調整が可能であり、これにより踏み面の水平姿勢も調整することができる。本願発明の斜面用避難階段を多段に設置することで、斜面上に避難路を構築することができる
【００２１】
本願発明の斜面用避難階段は、係止板とＵ字形係止具からなる係止部を備えたものとすることもできる。この場合、係止部のＵ字形係止具内にロープ材を挿通し、このＵ字形係止具を係止板に締め付けて固定することで、係止部はロープ材に係止される。
【００２２】
本願発明の斜面用避難階段は、手すりを設けたものとすることもできる。この場合、脱着用の支柱を取り付け、この支柱に設けられた支持環（手すり支持部）にロープ材（手すり材）を通して手すりを形成する。
【００２３】
本願発明の斜面避難路設置方法は、ネット式斜面保護工が施された斜面に避難路を設置する方法であって、支持材設置工程、地盤支持工程、踏み面形成工程を備えた方法である。このうち支持材設置工程では、斜材が連結された支持材を水平（又は略水平）となるように配置するとともに、支持材の一端に具備される係止部を、ネット式斜面保護工を構成するロープ材に係止する。地盤支持工程では、斜材の一端に具備されるアンカー部を、斜面に挿入することで地盤からの支持を得る。また、踏み面形成工程では、配置された支持材の上に踏板を載置して踏み面を形成する。この工程を繰り返し、避難階段を多段に設置することで斜面上に避難路を構築する。
【００２４】
本願発明の斜面避難路設置方法は、地盤支持工程を除く、支持材設置工程と踏み面形成工程を備えた方法とすることもできる。この場合の支持材設置工程では、斜材が連結された支持材を斜面に沿うように配置するとともに、支持材の一端に具備される係止部を、ネット式斜面保護工を構成するロープ材に係止する。また、踏み面形成工程では、板状の斜材と斜面との間に形成される充填空間に、充填材を充填して踏み面を形成する。
【００２５】
本願発明の斜面避難路設置方法は、ネット式斜面保護工が施された斜面に避難路を設置する方法であって、支持材設置工程、踏み面形成工程、高さ調整工程を備えた方法である。このうち支持材設置工程では、斜面に沿って支持材を配置し、この支持材に脚材を回転可能に固定するとともにこの脚材を斜面上方に立ち上げ、さらに支持材の一端に具備される係止部をロープ材に係止する。踏み面形成工程では、略水平に配置された踏板を支持材と脚材に取り付けて踏み面を形成する。また、高さ調整工程では、脚材を伸縮させることによって上下方向の長さを調整し、且つ踏板の水平姿勢を調整する。この工程を繰り返し、避難階段を多段に設置することで斜面上に避難路を構築する。
【００２６】
本願発明の斜面避難路設置方法は、ネット式斜面保護工が施された斜面に避難路を設置する方法であって、脚材設置工程、踏み面形成工程、高さ調整工程を備えた方法である。このうち脚材設置工程では、斜面上方に立ち上げた脚材の下端に取り付けられた係止手段をロープ材に係止する。踏み面形成工程では、略水平に配置された踏板を脚材に取り付けるとともに、この踏板の斜面側端部に取り付けられた係止手段をロープ材に係止することで踏み面を形成する。また、高さ調整工程では、脚材を伸縮させることによって上下方向の長さを調整し、且つ踏板の水平姿勢を調整する。この工程を繰り返し、避難階段を多段に設置することで斜面上に避難路を構築する。
【００２７】
本願発明の斜面避難路設置方法は、手すり設置工程を備えた方法とすることもできる。この手すり設置工程では、脱着式の支柱を取り付けるとともに、この支柱に設けられた支持環（手すり支持部）にロープ材（手すり材）を設置して手すりを形成する。
【発明の効果】
【００２８】
本願発明の斜面用避難階段、及び斜面避難路設置方法には、次のような効果がある。
（１）ネット式斜面保護工が施された斜面を容易に登っていくことができるので、老人や子供をはじめ多くの人を避難させることができる。
（２）構造も簡易であり、容易に設置できることから、製造、施工ともに費用を軽減することができる。
（３）軽量で運搬も容易であり、設置にも手間がかからないため、短い工期での施工が可能であり、通行規制を伴う場合であっても一般交通に与える影響は極めて小さい。
（４）既述のとおりネット式斜面保護工が施された斜面は既に多数あり、その点では広く採用できる汎用的な技術といえる。
（５）地震直後は、落石や崩壊が生ずる恐れのある不安定な斜面もある。本願発明の場合、ネット式斜面保護工が施されている斜面を対象としていることから、落石や崩壊から保護された斜面を登っていくわけであり、その点でも安心して避難することができる。
（６）繊細な位置精度をもって設置する必要がないので、立木があるような斜面でも立木を避けながら設置することが可能であり、伐採の手間を省くことができるうえ、自然保護や環境維持を図ることができる。
（７）斜面上方に立設される脚材を上下方向に伸縮可能とすれば、踏み面の水平姿勢の調整が容易となり、勾配変化や起伏の大きな斜面でも好適に避難路を設置することができる。
（８）支持材の係止部としてＵ字形係止具を利用すれば、挟み込んで締め付けるだけでロープ材に係止できるため、水平ロープでも鉛直ロープでも容易かつ確実に支持材を係止することができる。
【図面の簡単な説明】
【００２９】
【図１】ネット式斜面保護工がある自然斜面に、避難路が形成された状況を示す断面図。
【図２】（ａ）は、第１の実施形態のうち１段式の斜面用避難階段の詳細を示す断面図、（ｂ）は、第１の実施形態のうち２段式の斜面用避難階段の詳細を示す断面図。
【図３】略水平に配置された支持材の上に踏板を載せた状況を示す斜視図。
【図４】第２の実施形態の斜面用避難階段の詳細を示す断面図。
【図５】（ａ）第３の実施形態の斜面用避難階段の詳細を示す断面図、（ｂ）は第３の実施形態の斜面用避難階段の詳細を示す正面図。
【図６】第４の実施形態の斜面用避難階段の詳細を示す断面図。
【図７】本願発明の斜面避難路設置方法を示すフロー図。
【図８】（ａ）ネット式斜面保護工を設置した状態を示す側面図、（ｂ）はネット式斜面保護工を設置した状態を示す正面図。
【発明を実施するための形態】
【００３０】
本願発明の斜面用避難階段、及び斜面避難路設置方法の実施形態の例を、図に基づいて説明する。
【００３１】
１．全体概要
図１は、ネット式斜面保護工Ｎｅがある自然斜面に、避難路Ｅｒが形成された状況を示す断面図である。この図に示すように、本願発明の斜面用避難階段１００を多段（図では１０段）に設置することによって、斜面上に避難路Ｅｒを形成することができる。
【００３２】
斜面用避難階段１００は、斜面に施されたネット式斜面保護工Ｎｅを利用して設置される。つまり、斜面用避難階段１００を設置するためにはネット式斜面保護工Ｎｅが必要となるが、必ずしも本願発明のためにネット式斜面保護工Ｎｅを設置する必要はなく、既設のネット式斜面保護工Ｎｅを利用することもできる。なおネット式斜面保護工Ｎｅは、既述のとおり所定の間隔（例えば、５０ｃｍ×５０ｃｍ程度）でワイヤーロープ等を縦横に編んだものであり、略水平に配置される水平ロープＲｈと、略鉛直に配置される鉛直ロープＲｖを主な部材とする。
【００３３】
また、図１では自然斜面に斜面用避難階段１００を設置しているが、もちろん人工のり面に設置することもできるし、多少の起伏がある斜面や、植生が存在する斜面、あるいは急な勾配の斜面であっても設置することがきる。ただし、老人や子供が避難することを考えれば、勾配が５５度（１：０．７）よりも緩い斜面を対象とすることが望ましい。
【００３４】
斜面用避難階段１００は、略水平（水平も含む）に配置される支持材１０と、斜方向に配置される斜材２０を含んだ部材で構成される。このうち、支持材１０の端部にはフック状に加工された係止部１１が設けられており、この係止部１１を水平ロープＲｈに係止することで斜面用避難階段１００を斜面上に設置することができる。また、支持材１０又は斜材２０の一部に鉛直ロープ用の係止具を設けることで、水平ロープＲｈへの係止に加えて鉛直ロープＲｖに係止することもできる。
【００３５】
斜面用避難階段１００には、手すり３０を設けることもできる。この手すり３０は、主に支柱３１と手すり材３２で構成され、避難者の安全な昇降を可能にする。
【００３６】
斜面上に斜面用避難階段１００を設置する作業は、斜面勾配によるものの比較的困難であることが多く、したがって現地に搬入する部材等は軽量であることが望ましい。そのため、斜面用避難階段１００を構成する部材は、軽量な材料からなるものとするほうが良い。さらに、手すり３０を構成する支柱３１は、支持材１０や斜材２０からなる部品とは別に現地に搬入できるように、脱着式とすることが望ましい。
【００３７】
以下、本願発明の斜面用避難階段、及び斜面避難路設置方法を、４つの実施例に分けて詳細に説明する。
【００３８】
２．第１の実施形態
図２は、斜面用避難階段１００の詳細を示す図で、（ａ）は１段の斜面用避難階段１００の断面図、（ｂ）は２段からなる斜面用避難階段１００の断面図である。この図に示すように、斜面用避難階段１００は、支持材１０、斜材２０、及び踏板４０で構成される。なお便宜上図（ｂ）では、上段を構成する部材にそれぞれ添字ａを付し、下段の部材にはそれぞれ添字ｂを付した。
【００３９】
（支持材）
支持材１０は鋼棒といった棒状、又は構造用炭素鋼鋼管など管状の部材であり、その端部（図２では右側）にはフック状に加工された係止部１１が形成されている。この係止部１１がフック状となっていることで、ネット式斜面保護工Ｎｅを構成する水平ロープＲｈに係止することができる。なお、水平ロープＲｈへの係止に加えて鉛直ロープＲｖに係止することもできるのは既述のとおりである。支持材１０のうち係止部１１が設けられていない方の端部（図では左側）には、斜材２０が連結されている。支持材１０と斜材２０の連結は、ボルト等を利用した回転させない固定手段とすることもできるし、ピン等を利用することで回転が自由となるいわゆるヒンジ固定とすることもできる。設置する斜面が、凹凸の存在や勾配の変化など不連続な傾斜であることも予想され、このような場合、ヒンジ固定とすると柔軟に角度調整できるので好適である。
【００４０】
（斜材）
支持材１０と同様、斜材２０も棒状又は管状の部材である。その端部（図２では上側）に支持材１０が連結されているのは既述のとおりで、他方の端部にはアンカー部２１が設けられている。このアンカー部２１は、斜面の地盤（地山）内に挿入することが可能であり、このようにアンカー部２１を斜面に挿入することによって斜面用避難階段１００は斜面に固定され、すなわち斜面地盤からの支持を得ることができる。なお、図２に示すように、アンカー部２１の挿入長を適度に保つべく、傘状のストッパを設けることもできる。
【００４１】
図２（ｂ）に示すように、２段以上からなる斜面用避難階段１００とすることもできる。もちろん、図２（ａ）に示す１段の斜面用避難階段１００を独立して２段以上設置してもよいが、水平ロープＲｈの設置間隔が離れている場合などは２段以上からなる斜面用避難階段１００が有効となる。２段からなる斜面用避難階段１００では、上段の斜材２０ａと下段の支持材１０ｂが連結される。下段の支持材１０ｂには係止部１１が設けられず、代わりに連続部１２が設けられ、この連続部１２で上段の斜材２０ａと連結されるわけである。この連続部１２での連結も、支持材１０と斜材２０の連結と同様、ボルト等を利用した回転しない固定とすることもできるし、ピン等を利用したヒンジ固定とすることもできる。
【００４２】
（踏板）
踏板４０は板状の部材であり、鋼製又は合板製の足場板を利用することができる。図３は、略水平に配置された支持材１０の上に踏板４０を載せた状況を示す斜視図である。この図に示すように、踏板４０は２以上の支持材１０の上に架け渡されて載置され、その上面が踏み面として形成される。踏板４０の上面が踏み面となることから、安全な昇降を実現するため支持材１０はできるだけ水平となるように配置される。なお、踏板４０を支持する支持材１０の間隔、つまりスパン長は、踏板４０の材質や板厚等に応じて適宜設計することができる。また、踏板４０の長さ（長手方向の寸法）に関しても、予測される避難人数等に応じて（例えば、１ｍ程度〜数十ｍ程度といった範囲で）適宜設計することができる。
【００４３】
踏板４０は、クランプなどの治具を用いて固定したり、踏板４０に設けた小孔に通した鈍し鉄線（番線）で固定したり、種々の手法で支持材１０に固定することができる。あるいは、固定することなく単に支持材１０上に載せただけとすることもできる。この場合、踏板４０が長手方向や短手方向に滑動しないよう、支持材１０に滑り止め（ストッパ）を設けることが望ましい。
【００４４】
（手すり）
避難者がより安全に昇降できるよう、手すり３０を備えた斜面用避難階段１００とすることもできる。既述のとおり手すり３０は、主に支柱３１と手すり材３２で構成される。支柱３１は、支持材１０と同様、棒状又は管状の部材であり、支持材１０や踏板４０に対して脱着可能となっている。また、支柱３１には、手すり材３２を通すための手すり支持部が設けられている。この支持部は、例えばリング状の支持環であり、紐やロープ、棒材からなる手すり材３２を把持することができるものである。なお、手すり３０の一部や踏板４０の一部に蛍光塗料や夜光塗料などを塗布しておくと、夜間でも難なく避難できるのでより好適となる。
【００４５】
３．第２の実施形態
次に、第２の実施形態の斜面用避難階段１００について説明する。なお、第１の実施形態と重複する内容の説明は避け、第２の実施形態に特有の内容のみ説明することとする。すなわち、ここに記載されていない内容は、第１の実施形態で記載したものと同様である。
【００４６】
図４は、第２の実施形態の斜面用避難階段１００の詳細を示す断面図である。この図に示すように、斜面用避難階段１００は、支持材１０、斜材２０、及び充填材５０で構成される。なお、ここでは図４に示す２段式の斜面用避難階段１００の例で説明するが、１段式あるいは３段式以上の斜面用避難階段１００も同様の構造となる。
【００４７】
（支持材）
支持材１０は、第１の実施形態と同様、棒状又は管状の部材であり、その端部には係止部１１が形成されている。ただし本実施形態の支持材１０は、図４に示すように、斜面に沿って配置される。また、一つの支持材１０に対して１又は２以上の斜材２０と連結することができる。このとき、支持材１０と斜材２０の連結を、回転しない固定とすることもできるし、ヒンジ固定とすることもできるのは、第１の実施形態と同様である。
【００４８】
（斜材）
斜材２０は、第１の実施形態とは異なり、板状の部材である。これは、後に説明する充填材を保持する必要があるからである。そのため本実施形態の斜材２０は、図４に示す支持材１０と紙面奥行方向に配置された支持材１０という具合に、２以上の支持材１０に連結される。また、本実施形態の斜材２０には、斜面に挿入するためのアンカー部２１は設けられない。なお、斜材２０は板状の部材であると説明したが、面板である必要はなく、充填材が流出しない程度の小孔を備えたメッシュ材（例えば、金網など）でも良い。
【００４９】
（充填材）
充填材５０は、第１の実施形態の踏板４０に代わって、踏み面を形成するものである。図４に示すように、斜材２０と斜面との間には断面視で略三角形状の空間（以下、「充填空間」という。）が形成される。この充填空間に投入されるのが充填材５０であり、投入された充填材５０の上面を平坦に均すことで踏み面を形成することができる。この充填材５０としては、充填空間に充填することができるものであれば種々の材料を利用することができ、例えば、現地発生材である土砂やレキ材、あるいは購入した砂材、その他発泡スチロールのような軽量材などを例示することができる。
【００５０】
充填材５０を充填すると、斜材２０に側圧が作用する。この側圧に対して、斜材２０と支持材１０との連結が脆弱であれば、斜材２０は想定以上に回転することとなり、その結果、充填材５０が流出してしまう。これを防止するため、図４に示す水平拘束材６０を設置することができる。水平拘束材６０は、ワイヤーロープや鈍し鉄線などを利用したものであり、その一端を支柱１０や水平ロープＲｈに固定し、他端を斜材２０上部に固定する。このように水平拘束材６０を設置することで、充填材５０の側圧による斜材２０の回転を防止することができるわけである。
【００５１】
４．第３の実施形態
次に、第３の実施形態の斜面用避難階段１００について説明する。なお、第１の実施形態や第２の実施形態と重複する内容の説明は避け、第３の実施形態に特有の内容のみ説明することとする。すなわち、ここに記載されていない内容は、第１の実施形態や第２の実施形態で記載したものと同様である。図５は、第３の実施形態の斜面用避難階段１００を示す詳細図であり、（ａ）はその断面図、（ｂ）は正面図である。この図に示すように、斜面用避難階段１００は、支持材１０、踏板４０、及び脚材７０で主に構成される。
【００５２】
（支持材）
支持材１０は、第２の実施形態と同様、斜面に沿って配置される。この支持材１０の一端にはフック状に加工された係止部１１が取り付けられ、水平ロープＲｈに係止することができる。なお図５では支持材１０を山形鋼としているが、鋼棒といった棒状、又は構造用炭素鋼鋼管など管状の部材を用いることもできる。
【００５３】
（踏板）
ここで用いる踏板４０も、第１の実施形態と同様、板状の部材であり、鋼製又は合板製の足場板とすることができる。図５に示すように踏板４０は、支持材１０と脚材７０に固定された受け板４１の上に取り付けることができる。断面視でＬ字形となる受け板４１のうち、略鉛直姿勢の面を支持材１０や脚材７０にボルト等で固定し、略水平姿勢の面上に踏板４０を載せて固定する。そのため踏板４０は、２箇所の受け板４１で支持されて略水平面を保持する。なお受け板４１は、山形鋼を利用すると良いが、平鋼を組み合わせるなど他の鋼材等を利用することもできる。
【００５４】
（脚材）
脚材７０は、支持材１０とともに踏板４０を支えるもので、断面寸法に比して軸方向に長い軸部材であり、その軸方向が若干傾斜して上下方向に伸びるよう配置される。また、脚材７０は、軸方向に伸縮が可能となっている。例えば図５に示すように、脚材７０を上部脚材７０ａと下部脚材７０ｂで構成することとし、それぞれに複数のボルト孔７１を設け、上部脚材７０ａのボルト孔７１と下部脚材７０ｂのボルト孔７１の組み合わせを変えることで、脚材７０の全長を変化させる。この場合、脚材７０を所望の長さに調整した後、上部脚材７０ａと下部脚材７０ｂはボルト等で固定される。
【００５５】
支持材１０と脚材７０、受け板４１（踏板４０）は、それぞれボルト等で固定され、側面視すると概ね三角形をなしている。これらの固定は、それぞれ回転可能なヒンジ固定であり、しかも脚材７０は伸縮可能であることから、支持材１０と脚材７０、踏板４０で構成される三角形状は任意に変更することができる。斜面の凸凹や、植生等による障害物があっても、脚材７０の軸方向長さ（軸長）を調整することで、容易に踏板４０の水平姿勢を確保することができるわけである。
【００５６】
５．第４の実施形態
次に、第４の実施形態の斜面用避難階段１００について説明する。なお、第１〜第３の実施形態と重複する内容の説明は避け、第４の実施形態に特有の内容のみ説明することとする。すなわち、ここに記載されていない内容は、第１〜第３の実施形態で記載したものと同様である。図６は、第４の実施形態の斜面用避難階段１００の詳細を示す断面図であり、この図に示すように、斜面用避難階段１００は、踏板４０、脚材７０、及び係止手段８０で主に構成される。
【００５７】
本実施形態の脚材７０は、第３の実施形態と同様、伸縮可能であってその軸長を調整することができる構造となっている。図６では、脚材７０が部脚材７０ａと下部脚材７０ｂで構成され、それぞれ複数設けられたボルト孔７１を利用して軸長を調整することとしている。踏板４０の一端は曲げ加工されており、その曲げ加工された部分が側面視でＬ字形に加工された上部脚材７０ａに固定され、踏板４０の他端には係止手段８０が固定されており、第３の実施形態で説明した受け板４１に支持されることなく、上部脚材７０ａと係止手段８０によって直接支持されている。もちろん、図６の構成に代えて、第３の実施形態と同様、踏板４０を受け板４１に支持させることもできる。
【００５８】
（支持手段）
支持手段８０は、Ｌ字形（又は逆Ｔ字形）の固定板８１とＵ字形の固定具８２によって構成される。この固定具８２は、Ｕ字形の形状を利用してその内側にロープ材を挿入させるもので、例えば、Ｕボルト等を用いることができる。なお、固定板８１としては山形鋼を利用すると良いが、平鋼を組み合わせるなど他の鋼材等を利用することもできる。支持手段８０は、固定板８１のうち略鉛直姿勢の面をボルト固定することによって、踏板４０の一端や脚材７０の下端に取り付けられる。また、固定板８１のうち略水平姿勢の面には、固定具８２を挿通するため２箇所にボルト孔が設けられている。
【００５９】
図６に示すように係止手段８０は、斜面用避難階段１００を鉛直ロープＲｖに係止するものである。もちろん、鉛直ロープＲｖに代えて水平ロープＲｈに係止することもできる。具体的には、Ｕ字形の固定具８２の内側に鉛直ロープＲｖや水平ロープＲｈを挿通し、その状態で固定具８２を固定板８１に設けられたボルト孔に挿通して固定する。つまり、鉛直ロープＲｖや水平ロープＲｈは、その周囲を固定板８１（水平姿勢面）と固定具８２によって締め付けられるわけである。このように鉛直ロープＲｖや水平ロープＲｈを把持した係止手段８０に、踏板４０や脚材７０が固定され、その結果、斜面用避難階段１００は鉛直ロープＲｖや水平ロープＲｈに係止される。
【００６０】
係止手段８０と踏板４０、係止手段８０と脚材７０は、それぞれボルトによって固定されるが、その際、回転可能なヒンジ固定とすると、踏板４０の水平姿勢の調整が容易となって好適である。なお図６では、下段の斜面用避難階段１００の一部を示している。この図に示すように、下段の踏板４０に固定する係止手段８０は、上段の脚材７０に固定する係止手段８０と兼用することができる。つまりこの場合、上段の係止手段８０（固定板８１）と、上段の脚材７０、下段の踏板４０が、ひとつのボルトによって挿通され締め付け固定される。
【００６１】
５．斜面避難路設置方法
図７は、本願発明の斜面避難路設置方法を示すフロー図である。ここでは、この図に基づいて斜面避難路設置方法を説明する。まず、必要機材や斜面用避難階段１００の構成部材を仮置きするためのヤードを設けたり、必要に応じて道路の通行規制を行ったり、種々の準備を行う（Ｓｔｅｐ１０）。続いて、設置する斜面の勾配や平場の有無にもよるが、斜面上に足場を設けるなど、仮設備の設置を行う（Ｓｔｅｐ２０）。
【００６２】
ここで、斜面避難路を設置しようとする斜面にネット式保護工が施されていない場合、あるいは設置範囲が不足している場合は、ネット式保護工の設置を行う（Ｓｔｅｐ３０）。もちろん、対象斜面に既設のネット式保護工がある場合は、ネット式斜面保護工程（Ｓｔｅｐ３０）を実施する必要はない。予め工場等で連結された支持材１０と斜材２０の組み合わせ、又は支持材１０や脚材７０や受け板４１などの組み合わせ（以下、「主部材」という。）がヤードに搬入されると、揚重機等を利用して斜面上の所定位置まで主部材を移動する。そして、主部材の係止部１１を、ネット式斜面保護工Ｎｅを構成する水平ロープＲｈに係止する（Ｓｔｅｐ４０）。あるいは第４の実施形態の斜面用避難階段１００の場合は、係止手段８０を鉛直ロープＲｖに係止する。なお、第１の実施形態の斜面用避難階段１００の場合は、アンカー部２１を斜面の地盤内に挿入して主部材を固定する（Ｓｔｅｐ５０）。
【００６３】
主部材が固定されると、踏み面を形成する（Ｓｔｅｐ６０）。第１の実施形態の斜面用避難階段１００の場合は、略水平に配置された２以上の支持材１０上部に踏板４０を載置して踏み面を形成する。一方、第２の実施形態の斜面用避難階段１００の場合は、斜材２０と斜面で形成された充填空間内に充填材５０を充填し、充填材５０の上面を敷きならすことで踏み面を形成する。第３の実施形態の斜面用避難階段１００の場合は、支持材１０と脚材７０に固定された受け板４１の上に踏板４０を取り付けることで踏み面を形成する。さらに、第４の実施形態の斜面用避難階段１００の場合は、脚材７０と係止手段８０に踏板４０を固定することで踏み面を形成する。このとき、第３と第４の実施形態では、脚材７０を伸縮させることで上下方向の長さを調整し、これによって踏板４０の水平姿勢を調整する（高さ調整工程）こともできる。
【００６４】
ここまでの工程（Ｓｔｅｐ４０〜Ｓｔｅｐ６０）を繰り返し行い（ループＡ）、多段の斜面用避難階段１００を設置して、斜面上に避難路を構築する。なお、手すり３０を設ける場合は、所定段数の斜面用避難階段１００が設置された後、各段に支柱３１を取り付け、さらに支柱３１に設けられた手すり支持部に手すり材３２を設置して手すり３０を形成する（Ｓｔｅｐ７０）。なお、支柱３１のみ各段の主部材とともに取り付け、全段の主部材設置完了後に手すり材３２のみを設置することもできる。最後に跡片付けを行って工事完成となる（Ｓｔｅｐ８０）。
【産業上の利用可能性】
【００６５】
本願発明の斜面用避難階段、及び斜面避難路設置方法は、道路沿いや線路沿いの斜面や、集落の背後斜面、あるいは役所や学校といった公共施設の背後斜面など、あらゆる斜面を避難路に変えることができる。その結果、多くの人を津波から救うことができることを考えれば、本願発明は産業上利用できるばかりでなく、社会的にも大きな貢献を期待し得る発明といえる。
【符号の説明】
【００６６】
１００    斜面用避難階段
１０      支持材
１１      係止部
１２      連続部
２０      斜材
２１      （斜材の）アンカー部
３０      手すり
３１      （手すりの）支柱
３２      （手すりの）手すり材
４０      踏板
４１      受け板
５０      充填材
６０      水平拘束材
７０      脚材
７０ａ    （脚材の）上部脚材
７０ｂ    （脚材の）下部脚材
７１      （脚材の）ボルト孔
８０      係止手段
８１      （係止手段の）固定板
８２      （係止手段の）固定具
Ｅｒ      本願発明の避難路
Ｎｅ      ネット式斜面保護工
Ｒｈ    （ネット式斜面保護工の）水平ロープ
Ｒｖ    （ネット式斜面保護工の）鉛直ロープ
【図１】
2015042835.tif 000003
【図２】
2015042835.tif 000004
【図３】
2015042835.tif 000005
【図４】
2015042835.tif 000006
【図５】
2015042835.tif 000007
【図６】
2015042835.tif 000008
【図７】
2015042835.tif 000009
【図８】
2015042835.tif 000010